(57)【特許請求の範囲】
【請求項１】
門扉本体の幅方向両端部の縦框に，これと同等乃至短尺の長さとした帯状多数のプレートバランサーを着脱自在に重合固定するとともに該縦框と略同長のバランサーカバーを該縦框に配置して該縦框の外側面に形成したバランサー収納部に上記プレートバランサーを収納被覆し且つ上記縦框とバランサーカバーの長手方向端部をキャップによって閉塞してなることを特徴とする跳ね上げ門扉。
【請求項２】
上記プレートバランサーの重合固定を，その縦框側１枚を長手方向上下端にＬ字状折曲片を備えるとともに該縦框側１枚以外をフラットなプレートによって形成し，上記縦框側１枚を該縦框に透設した受孔にそのＬ字状折曲片を引掛け支持して該縦框に密接配置し且つ該縦框側１枚を支持ベースとして上記のフラットなプレートを重合してその長手方向上下端部に透設した固定孔に挿通したボルトを縦框に締着することによって該縦框にプレートバランサーを吊支持して行ってなることを特徴とする請求項１に記載の跳ね上げ門扉。
【請求項３】
上記バランサーカバーを，断面コ字状とするとともにその先端に形成した係合突条を縦框の前後端に形成した受溝に係合し，該バランサーカバー側から縦框に螺装したネジによって縦框に着脱自在に配置してなることを特徴とする請求項１又は２に記載の跳ね上げ門扉。
【請求項４】
上記バランサーカバーを，縦框に開閉自在に配置してなることを特徴とする請求項１又は２に記載の跳ね上げ門扉。
【発明の詳細な説明】
【０００１】
【発明の属する技術分野】
本発明は，一般にカーポートスペースの正面に設置使用する跳ね上げ門扉に関する。
【０００２】
【従来の技術】
この種跳ね上げ門扉は，門扉本体の幅方向両端上方位置を左右の支柱に回動自在に連結した回動アームと，該回動アームと傾斜するように同じく支柱と門扉本体両端中間位置を回動自在に連結した規制アームとによって，門扉本体を前方位置と上方位置で回動してその跳ね上げ開閉を行うものとされ，このとき支柱にはコイルスプリング乃至オイルダンパー等の開閉緩衝乃至補助を行う開閉機構を配置して門扉本体の跳ね上げ開閉をスムーズ且つ緩衝状態になし得るようにしてあり，また門扉本体は上下左右の框と該框内に配置した格子，メッシュ等適宜なデザインの仕切面とによって形成されたものとされている。
【０００３】
【発明が解決しようとする課題】
この種跳ね上げ門扉の門扉本体は，その幅寸法や高さ寸法によって，その仕切面体のデザインや材質によってその重量が相違することになるところ，上記支柱に設置される開閉機構によるスムーズ且つ緩衝状態の跳ね上げ開閉には，該機構における引張乃至圧縮等の強さと跳ね上げ開閉する門扉本体の重量とのバランスが取れていることが必要となる。
【０００４】
このとき，例えば支柱を共通に使用して門扉本体の寸法，デザイン等を変化するようにすると，門扉本体の重量が変化することによって上記開閉機構との重量バランスが失なわれる結果，門扉本体の跳ね上げ開閉が重くなったり，開閉衝撃が強くなったりする傾向を生じ，これを解決するには開閉機構の強さ又は門扉本体の重量のいずれかのバランス確保のための措置が必要である。
【０００５】
本発明はかかる事情に鑑みてなされたもので，その解決課題とするところは，門扉本体の重量を簡易且つ確実に調整し得るようにすることによって開閉機構との重量バランスを確保し得るようにした跳ね上げ門扉を提供するにある。
【０００６】
【課題を解決するための手段】
上記課題に添って本発明は，門扉本体幅方向両端の縦框にこれと同等乃至短尺にして帯状多数のプレートバランサーを着脱自在に配置することにより門扉本体の重量に応じてプレートバランサーの追加や除去を行って門扉本体の幅方向のバランスを含めて開閉機構との重量バランスを確保するとともにバランサー重量に対して可及的に薄い形態としてその設置スペースを小さくし，バランサーの設置によって門扉本体の外観を損なうのを防止する一方，上記縦框と略同長のバランサーカバーを該縦框に配置してプレートバランサーを収納被覆して，簡易にして納まりと外観の良いバランサーの配置を可能とし，また縦框とバランサーカバーの長手方向端部をキャップによって閉塞するようにしたものであって，即ち請求項１に記載の発明を，門扉本体の幅方向両端部の縦框に，これと同等乃至短尺の長さとした帯状多数のプレートバランサーを着脱自在に重合固定するとともに該縦框と略同長のバランサーカバーを該縦框に配置して該縦框の外側面に形成したバランサー収納部に上記プレートバランサーを収納被覆し且つ上記縦框とバランサーカバーの長手方向端部をキャップによって閉塞してなることを特徴とする跳ね上げ門扉としたものである。
【０００７】
請求項２に記載の発明は，上記に加えて，上記プレートバランサーの重合固定を安定してなし得るものとするように，これを，上記プレートバランサーの重合固定を，その縦框側１枚を長手方向上下端にＬ字状折曲片を備えるとともに該縦框側1枚以外をフラットなプレートによって形成し，上記縦框側１枚を該縦框に透設した受孔にそのＬ字状折曲片を引掛け支持して該縦框に密接配置し且つ該縦框側１枚を支持ベースとして上記のフラットなプレートを重合してその長手方向上下端部に透設した固定孔に挿通したボルトを縦框に締着することによって該縦框にプレートバランサーを吊支持して行ってなることを特徴とする請求項１に記載の跳ね上げ門扉としたものである。
【０００８】
請求項３に記載の発明は，同じく上記に加えて，バランサーカバーを開放してプレートバランサーの追加や除去をなし得るものとするように，これを，上記バランサーカバーを，断面コ字状とするとともにその先端に形成した係合突条を縦框の前後端に形成した受溝に係合し，該バランサーカバー側から縦框に螺装したネジによって縦框に着脱自在に配置してなることを特徴とする請求項１又は２に記載の跳ね上げ門扉としたものである。
【０００９】
請求項４に記載の発明は，同じく上記に加えて，同様にバランサーカバーを開放してプレートバランサーの追加や除去をなし得るものとするように，これを，上記バランサーカバーを，縦框に開閉自在に配置してなることを特徴とする請求項１又は２に記載の跳ね上げ門扉としたものである。
【００１０】
【発明の実施の形態】
以下図面の例に従って本発明を更に具体的に説明すれば，Ａは跳ね上げ門扉であり，該跳ね上げ門扉Ａは，一対の支柱１と，門扉本体２と，上記一対の支柱１と門扉本体２を連結し該門扉本体２をその前方位置と上方位置間で跳ね上げ開閉自在とする回動アーム３及びその下位の規制アーム４と，上記一対の支柱１に内蔵配置し門扉本体２の跳ね上げ開閉を補助乃至緩衝するコイルスプリング，オイルダンパー等の図示省略の開閉機構を備えたものとしてある。
【００１１】
門扉本体２は，上下の横框５と左右の縦框７とを框組みし，該框組み内に仕切面を配置したものとしてあり，本例にあって該仕切面は，上記框組みに，例えば横格子，縦格子等の仕切桟１１を設置したものとしてある。
【００１２】
門扉本体２は，その幅方向両端の縦框７に帯状多数のプレートバランサー１３を着脱自在に重合固定してあり，これによって上記開閉機構との重量バランスを確保してそのスムーズ且つ緩衝状態の跳ね上げ開閉を行うようにしてあり，このときプレートバランサー１３は，これを，縦框７と同等乃至短尺の長さとするとともに厚肉金属によって同一の重量に形成してあり，該プレートバランサー１３は，幅方向両端の縦框７に同数同重量配置したものとしてある。
【００１３】
本例にあって門扉本体２の縦框７に重合固定した上記帯状多数のプレートバランサー１３は，上記縦框７に，これと略同長のバランサーカバー１７を配置して，縦框７の外側面に形成したバランサー収納部２０に，これを収納被覆してあり，また上記縦框７と該バランサーカバー１７の長手方向端部は，これをキャップ２１によって閉塞したものとしてある。
【００１４】
即ちプレートバランサー１３は，例えば重さを０．５ｋｇ（設計上は数％の誤差を許容している）とした同一の重量に共通化し，長さを上記縦框７と同等乃至短尺とし，幅を縦框７より幾分細めとした上下に帯状をなすプレートによるものとしてあり，本例にあっては，例えば鋼製の厚肉板を所定寸法に切断し又はこれに加工を施したものとしてある。
【００１５】
本例のプレートバランサー１３は，門扉本体２の幅方向両端の縦框７に，上記帯状プレートをそれぞれ４枚の同数配置し，それぞれ０．５ｋｇ単位で合計重量を２ｋｇと同一重量をなすようにしてあり，このうち両端合計の最大８枚とゼロ枚との間で，必要な枚数を残して，不要な枚数のプレートバランサー１３を取り除くように，その追加や除去を行うことによって，両端で２枚の１ｋｇを単位とする０〜４ｋｇの５段階の重量調整をなし得るようにしてあり，例えば門扉本体２の５ｋｇ程度の重量変化に対応して，上記開閉機構との重量バランスを確保し得るようにしてあり，本例にあっては出荷時に両端の縦框７に各４枚のプレートバランサー１３を配置し，跳ね上げ門扉Ａ設置時に現場で不要分を抜取り除去するようにするものとしてある。
【００１６】
このとき本例の帯状多数のプレートバランサー１３はその設置を，縦框７に上記重合固定することによって行ってあり，本例にあって上記プレートバランサーの重合固定は，その縦框側１枚を長手方向上下端にＬ字状折曲片１５を備えるとともに該縦框側１枚以外をフラットなプレートによって形成し，上記縦框側１枚を該縦框７に透設した受孔８にそのＬ字状折曲片１５を引掛け支持して該縦框７に密接配置し且つ該縦框側１枚を支持ベースとして上記のフラットなプレートを重合してその長手方向上下端部に透設した固定孔１４に挿通したボルト１６を縦框７に締着することによって該縦框７にプレートバランサー１３を吊支持して行ってある。
【００１７】
これによって上記重合固定に際して該縦框側１枚のプレートバランサー１３が縦框７に揺動したりすることなく縦框７に添設してこれに密着固定するようにするとともにこれに重合するその余のプレートバランサー１３の支持ベースとすることにより該その余のプレートバランサー１３を安定支持して，上記ボルト１６締着による上記重合固定を安定してなし得るようにしてある。
【００１８】
縦框７に設置固定した本例のバランサーカバー１７は，これを，断面コ字状とするとともにその先端に形成した係合突条１８を縦框７の前後端に形成した受溝９に係合し，該バランサーカバー１７側から縦框に螺装したネジ１９によって縦框７に着脱自在に配置してあり，該ネジ１９操作を行ってバランサーカバー１７を着脱することによってバランサー収納部２０を開放してプレートバランサー１３の追加や除去をなし得るようにしてある。
【００１９】
図中６は門扉本体２の降下時に横框５が車両等に接触することによって傷を生じるのを防止するように下方の横框５に設置したクッション材，９は框組みのネジをそれぞれ示す。
【００２０】
このように形成した本例の跳ね上げ門扉Ａは，その門扉本体２の幅方向両端に多数のプレートバランサー１３を着脱自在に同数同重量配置するようにして，門扉本体２の重量に応じてプレートバランサー１３の追加や除去を行うことによって門扉本体２の幅方向のバランスを含めて開閉機構との重量バランスを確保し得るようにすることができ，これによって門扉本体２のスムーズ且つ緩衝状態の跳ね上げ開閉が可能となる。またこれらプレートバランサー１３は，門扉本体２の縦框７に重合固定し，縦框７に配置したバランサーカバー１７に収納被覆したことによって，簡易にして納まりと外観の良いプレートバランサー１３の配置を可能とすることができ，多数のプレートバランサー１３を，同一の重量に形成したことによって，プレートバランサー１３の追加や除去を容易化するとともにプレートバランサー１３の可及的な共通化を図ることができ，上記多数のプレートバランサー１３を，厚肉金属の帯状プレートによって形成したことによって，バランサー重量に対して可及的に薄い形態とすることによってその設置スペースを小さくしてバランサー設置によって門扉本体２の外観を損なうのを防止することができる。
【００２１】
図示した例は以上のとおりとしたが，多数のプレートバランサーを異重の重量に形成し又は同一及び異重の混合とするように形成すること，バランサーカバーを縦框に対して，例えばヒンジ連結することによって，開閉自在に配置すること等を含めて，本発明の実施に当って跳ね上げ門扉，門扉本体，プレートバランサー，必要に応じて使用する縦框，バランサーカバー等の各具体的形状，構造，材質，これらの関係，これらに対する付加等は，上記発明の要旨に反しない限り様々の形態のものとすることができる。
【００２２】
【発明の効果】
本発明は以上のとおりに構成したから，請求項１に記載の発明は，門扉本体幅方向両端の縦框にこれと同等乃至短尺にして帯状多数のプレートバランサーを着脱自在に配置することにより門扉本体の重量に応じてプレートバランサーの追加や除去を行って門扉本体の幅方向のバランスを含めて開閉機構との重量バランスを確保するとともにバランサー重量に対して可及的に薄い形態としてその設置スペースを小さくし，バランサーの設置によって門扉本体の外観を損なうのを防止する一方，上記縦框と略同長のバランサーカバーを該縦框に配置してプレートバランサーを収納被覆して，簡易にして納まりと外観の良いバランサーの配置を可能とし，また縦框とバランサーカバーの長手方向端部をキャップによって閉塞するようにして，門扉本体の重量を簡易且つ確実に調整し得るようにすることによって開閉機構との重量バランスを確保し得るようにした跳ね上げ門扉を提供することができる。
【００２３】
請求項２に記載の発明は，上記に加えて，上記プレートバランサーの重合固定を安定してなし得るものとすることができる。
【００２４】
請求項３及び４に記載の発明は，同じく上記に加えて，バランサーカバーを開放してプレートバランサーの追加や除去をなし得るものとすることができる。
【図面の簡単な説明】
【図１】  跳ね上げ門扉の側面図である。
【図２】  門扉本体の部分横断面図である。
【図３】  門扉本体の縦断面図である。
【図４】  門扉本体とバランサーとの関係を示す分解斜視図である。
【符号の説明】
Ａ  跳ね上げ門扉
１  支柱
２  門扉本体
３  回動アーム
４  規制アーム
１３  プレートバランサー
１７  バランサーカバー
２１  キャップ
【図１】
0003908621.tif 000002
【図２】
0003908621.tif 000003
【図３】
0003908621.tif 000004
【図４】
0003908621.tif 000005